(57)【要約】  巨視的な人口流動に関するデータを簡易に且つ速やかに収集することを目的として、情報分析装置(600)は、ハンドオーバ時に追加されたブランチに関する複数の移動機(100)からのブランチ追加報告がＲＮＣ(300)により集計されて得られた、移動元セクタＩＤと移動先セクタＩＤの組合せ毎のブランチ追加数情報をＲＮＣ(300)から受信する追加数情報受信部(601)と、受信された上記ブランチ追加数情報を、当該移動元セクタから当該移動先セクタへの人口流動数情報と推定する推定部(602)と、を備える。
2010113706.tif 000002
【特許請求の範囲】
【請求項１】
複数の基地局それぞれが制御するセクタに在圏する複数の移動機と、前記複数の基地局を制御する無線ネットワーク制御装置と、前記無線ネットワーク制御装置との情報の送受信が可能とされた情報分析装置と、を含んで構成される通信システムであって、
各移動機は、
ハンドオーバ時に追加されたブランチに係る移動元のセクタ識別情報および移動先のセクタ識別情報を含むブランチ追加報告を、前記無線ネットワーク制御装置宛に送信する送信部、を備え、
前記無線ネットワーク制御装置は、
各移動機からの前記ブランチ追加報告を受信する受信部と、
受信された前記ブランチ追加報告に基づいて、移動元のセクタ識別情報と移動先のセクタ識別情報の組合せ毎に、前記ブランチの追加数を集計する集計部と、
集計により得られた、移動元のセクタ識別情報と移動先のセクタ識別情報の組合せ毎の前記ブランチの追加数情報を前記情報分析装置に送信する追加数情報送信部と、を備え、
前記情報分析装置は、
前記無線ネットワーク制御装置から、前記移動元のセクタ識別情報と移動先のセクタ識別情報の組合せ毎の前記ブランチの追加数情報を受信する追加数情報受信部と、
受信された前記移動元のセクタ識別情報と移動先のセクタ識別情報の組合せ毎の前記ブランチの追加数情報を、当該移動元のセクタから当該移動先のセクタへの人口流動数情報と推定する推定部と、
を備える通信システム。
【請求項２】
推定された人口流動数情報における移動元のセクタおよび移動先のセクタを、出力される地図上のセクタに対応付ける対応付け部、
をさらに備える請求項１に記載の通信システム。
【請求項３】
対応付けの結果に基づき、所定の表記法によって、前記地図における前記移動元のセクタから前記移動先のセクタへの前記人口流動数情報を出力する出力部、
をさらに備える請求項２に記載の通信システム。
【請求項４】
無線ネットワーク制御装置との情報の送受信が可能とされた情報分析装置であって、
ハンドオーバ時に追加されたブランチに係る移動元のセクタ識別情報および移動先のセクタ識別情報を含んだ複数の移動機からのブランチ追加報告が、前記無線ネットワーク制御装置によって集計されて得られた、前記移動元のセクタ識別情報と前記移動先のセクタ識別情報の組合せ毎の前記ブランチの追加数情報を、前記無線ネットワーク制御装置から受信する追加数情報受信部と、
受信された前記移動元のセクタ識別情報と移動先のセクタ識別情報の組合せ毎の前記ブランチの追加数情報を、当該移動元のセクタから当該移動先のセクタへの人口流動数情報と推定する推定部と、
を備える情報分析装置。
【請求項５】
推定された人口流動数情報における移動元のセクタおよび移動先のセクタを、出力される地図上のセクタに対応付ける対応付け部、
をさらに備える請求項４に記載の情報分析装置。
【請求項６】
対応付けの結果に基づき、所定の表記法によって、前記地図における前記移動元のセクタから前記移動先のセクタへの前記人口流動数情報を出力する出力部、
をさらに備える請求項５に記載の情報分析装置。
【請求項７】
複数の基地局それぞれが制御するセクタに在圏する複数の移動機と、前記複数の基地局を制御する無線ネットワーク制御装置と、前記無線ネットワーク制御装置との情報の送受信が可能とされた情報分析装置と、を含んで構成される通信システム、にて実行される情報分析方法であって、
前記移動機が、ハンドオーバ時に追加されたブランチに係る移動元のセクタ識別情報および移動先のセクタ識別情報を含むブランチ追加報告を、前記無線ネットワーク制御装置宛に送信する送信ステップと、
前記無線ネットワーク制御装置が、前記移動機からの前記ブランチ追加報告を受信する受信ステップと、
前記無線ネットワーク制御装置が、受信された前記ブランチ追加報告に基づいて、移動元のセクタ識別情報と移動先のセクタ識別情報の組合せ毎に、前記ブランチの追加数を集計する集計ステップと、
前記無線ネットワーク制御装置が、集計により得られた、移動元のセクタ識別情報と移動先のセクタ識別情報の組合せ毎の前記ブランチの追加数情報を前記情報分析装置に送信する追加数情報送信ステップと、
前記情報分析装置が、前記無線ネットワーク制御装置から、前記移動元のセクタ識別情報と移動先のセクタ識別情報の組合せ毎の前記ブランチの追加数情報を受信する追加数情報受信ステップと、
前記情報分析装置が、受信された前記移動元のセクタ識別情報と移動先のセクタ識別情報の組合せ毎の前記ブランチの追加数情報を、当該移動元のセクタから当該移動先のセクタへの人口流動数情報と推定する推定ステップと、
を備える情報分析方法。
【請求項８】
前記情報分析装置が、推定された人口流動数情報における移動元のセクタおよび移動先のセクタを、出力される地図上のセクタに対応付ける対応付けステップ、
をさらに備える請求項７に記載の情報分析方法。
【請求項９】
前記情報分析装置が、対応付けの結果に基づき、所定の表記法によって、前記地図における前記移動元のセクタから前記移動先のセクタへの前記人口流動数情報を出力する出力ステップ、
をさらに備える請求項８に記載の情報分析方法。
【請求項１０】
無線ネットワーク制御装置との情報の送受信が可能とされた情報分析装置、にて実行される情報分析方法であって、
ハンドオーバ時に追加されたブランチに係る移動元のセクタ識別情報および移動先のセクタ識別情報を含んだ複数の移動機からのブランチ追加報告が、前記無線ネットワーク制御装置によって集計されて得られた、前記移動元のセクタ識別情報と前記移動先のセクタ識別情報の組合せ毎の前記ブランチの追加数情報を、前記無線ネットワーク制御装置から受信する追加数情報受信ステップと、
受信された前記移動元のセクタ識別情報と移動先のセクタ識別情報の組合せ毎の前記ブランチの追加数情報を、当該移動元のセクタから当該移動先のセクタへの人口流動数情報と推定する推定ステップと、
を備える情報分析方法。
【請求項１１】
推定された人口流動数情報における移動元のセクタおよび移動先のセクタを、出力される地図上のセクタに対応付ける対応付けステップ、
をさらに備える請求項１０に記載の情報分析方法。
【請求項１２】
対応付けの結果に基づき、所定の表記法によって、前記地図における前記移動元のセクタから前記移動先のセクタへの前記人口流動数情報を出力する出力ステップ、
をさらに備える請求項１１に記載の情報分析方法。
【発明の詳細な説明】
【技術分野】
【０００１】
本発明は、人口流動数の推定を行う情報分析装置および情報分析方法、並びに、情報分析装置を含んで構成される通信システムに関する。
【背景技術】
【０００２】
従来、巨視的な人口流動に関するデータを収集する手法として、５年周期で全国的に実施される国勢調査、或いは対象者の行動履歴を調査するパーソントリップ調査があった。これらの国勢調査或いはパーソントリップ調査は、対象者に対しアンケートを配布して回収し、多くの人手を使って集計するなどの非常に手間のかかる一連の作業が必要であり、調査結果を得るまでに時間がかかっていた。また、回答する対象者にとってもアンケートに記入して返送するといった負担を強いるものであった。
【先行技術文献】
【特許文献】
【０００３】
【特許文献１】特開２００５−２０２５４６号公報
【発明の概要】
【発明が解決しようとする課題】
【０００４】
上記のように、従来は巨視的な人口流動に関するデータを収集するだけでも非常に面倒であり、かかるデータを簡易に且つ速やかに収集して調査結果を得ることは困難であった。【０００５】
一方、駅の乗降者数に基づいて人の移動量を推定する技術が特許文献１に記載されているが、この技術でも、推定の基礎データとなる駅の乗降者数を求めるための処理負荷と時間を要する。そのため、より簡易且つ速やかな人口流動に関するデータの収集技術が待望されていた。【０００６】
本発明は、上記課題に鑑み、巨視的な人口流動に関するデータを簡易に且つ速やかに収集することを目的とする。
【課題を解決するための手段】
【０００７】
本明細書では、個々の基地局が制御するエリア単位を「セクタ」と称する。即ち、ハンドオーバはセクタ間の移動時に発生し、かかるハンドオーバ時に、移動機と、移動先のセクタを制御する基地局との間に新たなコネクション（ブランチ）が発生する（即ち、ブランチが追加される）。【０００８】
本件出願人は、上記のようなハンドオーバ時におけるブランチの追加が、移動機ユーザによる特別なアクション無しに、自動的に移動機から無線ネットワーク制御装置（ＲＮＣ）へ報告されるという通信手順に着目した。ブランチの追加の報告の際には、追加されたブランチに係る移動元のセクタ識別情報および移動先のセクタ識別情報を含むメッセージ（以下「ブランチ追加報告」という）が、移動機から無線ネットワーク制御装置宛に送信され、これにより、無線ネットワーク制御装置は、受信したブランチ追加報告に基づいて、移動元のセクタ識別情報と移動先のセクタ識別情報の組合せ毎にブランチの追加数を集計することが可能となる。ここで、本件出願人は、この集計により得られる、移動元のセクタ識別情報と移動先のセクタ識別情報の組合せ毎のブランチ追加数が、移動元のセクタから移動先のセクタへ移動した移動機の数（即ち、移動機ユーザの数）に相当することに着目し、上記ブランチ追加数に基づく巨視的な人口流動に関するデータ収集に係る本発明を成し遂げるに至った。【０００９】
本発明の一側面に係る通信システムは、複数の基地局それぞれが制御するセクタに在圏する複数の移動機と、前記複数の基地局を制御する無線ネットワーク制御装置と、前記無線ネットワーク制御装置との情報の送受信が可能とされた情報分析装置と、を含んで構成される通信システムであって、各移動機は、ハンドオーバ時に追加されたブランチに係る移動元のセクタ識別情報および移動先のセクタ識別情報を含むブランチ追加報告を、前記無線ネットワーク制御装置宛に送信する送信部、を備え、前記無線ネットワーク制御装置は、各移動機からの前記ブランチ追加報告を受信する受信部と、受信された前記ブランチ追加報告に基づいて、移動元のセクタ識別情報と移動先のセクタ識別情報の組合せ毎に、前記ブランチの追加数を集計する集計部と、集計により得られた、移動元のセクタ識別情報と移動先のセクタ識別情報の組合せ毎の前記ブランチの追加数情報を前記情報分析装置に送信する追加数情報送信部と、を備え、前記情報分析装置は、前記無線ネットワーク制御装置から、前記移動元のセクタ識別情報と移動先のセクタ識別情報の組合せ毎の前記ブランチの追加数情報を受信する追加数情報受信部と、受信された前記移動元のセクタ識別情報と移動先のセクタ識別情報の組合せ毎の前記ブランチの追加数情報を、当該移動元のセクタから当該移動先のセクタへの人口流動数情報と推定する推定部と、を備えることを特徴とする。【００１０】
この通信システムでは、各移動機の送信部が、ハンドオーバ時に追加されたブランチに係る移動元のセクタ識別情報および移動先のセクタ識別情報を含むブランチ追加報告を無線ネットワーク制御装置宛に送信すると、無線ネットワーク制御装置では、受信部が各移動機からのブランチ追加報告を受信し、集計部が受信されたブランチ追加報告に基づいて、移動元のセクタ識別情報と移動先のセクタ識別情報の組合せ毎にブランチの追加数を集計する。そして、追加数情報送信部が、上記集計により得られた、移動元のセクタ識別情報と移動先のセクタ識別情報の組合せ毎のブランチの追加数情報を情報分析装置に送信すると、情報分析装置では、追加数情報受信部が無線ネットワーク制御装置からの上記ブランチの追加数情報を受信し、推定部が、受信された移動元のセクタ識別情報と移動先のセクタ識別情報の組合せ毎のブランチの追加数情報を、当該移動元のセクタから当該移動先のセクタへの人口流動数情報と推定する。上記のようにして、各移動機ユーザによる特別なアクションを必要とせずに比較的簡易に得られる各移動機からのブランチ追加報告が、無線ネットワーク制御装置によって集計されて得られた、移動元のセクタ識別情報と移動先のセクタ識別情報の組合せ毎のブランチの追加数情報より、当該移動元のセクタから当該移動先のセクタへの人口流動数情報を推定し、巨視的な人口流動に関するデータを速やかに（準リアルタイムに）得ることができる。【００１１】
また、上記通信システムは、推定された人口流動数情報における移動元のセクタおよび移動先のセクタを、出力される地図上のセクタに対応付ける対応付け部、をさらに備えてもよく、これにより、移動元のセクタおよび移動先のセクタを地図上のセクタに対応付けることができる。【００１２】
また、上記通信システムは、対応付けの結果に基づき、所定の表記法によって、前記地図における前記移動元のセクタから前記移動先のセクタへの前記人口流動数情報を出力する出力部、をさらに備えてもよく、この場合、出力部は、対応付けの結果に基づき、所定の表記法によって、地図における移動元のセクタから移動先のセクタへの人口流動数情報を出力する。このように、地図における移動元のセクタから移動先のセクタへの人口流動数情報を出力することで、巨視的な人口流動に関するデータを視覚的に容易に把握することができる。なお、ここでの「出力」には、表示出力および印刷出力が含まれることは言うまでもない。【００１３】
なお、無線ネットワーク制御装置における集計処理は、任意のタイミングで任意の時間間隔で実施することができる。例えば、２時間間隔で集計処理を実施することで、２時間を１つの単位時間帯として当該単位時間帯ごとの人口流動数情報を得ることができる。このように所望の単位時間帯ごとの人口流動数情報を得ることができる。【００１４】
また、従来の国勢調査やパーソントリップ調査では、基礎となるアンケートの回収率の低下に伴い調査結果の精度低下が懸念されるところ、本発明では、各移動機ユーザによる特別なアクションを必要とせずに、基礎となる各移動機からのブランチ追加報告が得られるため、基礎データが十分に得られないことに起因した分析結果の精度低下を回避することができる。【００１５】
ところで、本発明は、情報分析装置に係る発明として捉えることができ、以下のように記述することができる。即ち、本発明の一側面に係る情報分析装置は、無線ネットワーク制御装置との情報の送受信が可能とされた情報分析装置であって、ハンドオーバ時に追加されたブランチに係る移動元のセクタ識別情報および移動先のセクタ識別情報を含んだ複数の移動機からのブランチ追加報告が、前記無線ネットワーク制御装置によって集計されて得られた、前記移動元のセクタ識別情報と前記移動先のセクタ識別情報の組合せ毎の前記ブランチの追加数情報を、前記無線ネットワーク制御装置から受信する追加数情報受信部と、受信された前記移動元のセクタ識別情報と移動先のセクタ識別情報の組合せ毎の前記ブランチの追加数情報を、当該移動元のセクタから当該移動先のセクタへの人口流動数情報と推定する推定部と、を備えることを特徴とする。また、上記情報分析装置は、推定された人口流動数情報における移動元のセクタおよび移動先のセクタを、出力される地図上のセクタに対応付ける対応付け部、をさらに備えてもよい。さらに、上記情報分析装置は、対応付けの結果に基づき、所定の表記法によって、前記地図における前記移動元のセクタから前記移動先のセクタへの前記人口流動数情報を出力する出力部と、をさらに備えてもよい。【００１６】
また、本発明は、前述した通信システムにて実行される情報分析方法に係る発明、および前述した情報分析装置にて実行される情報分析方法に係る発明として捉えることができ、以下のように記述することができる。【００１７】
即ち、本発明の一側面に係る情報分析方法は、複数の基地局それぞれが制御するセクタに在圏する複数の移動機と、前記複数の基地局を制御する無線ネットワーク制御装置と、前記無線ネットワーク制御装置との情報の送受信が可能とされた情報分析装置と、を含んで構成される通信システム、にて実行される情報分析方法であって、前記移動機が、ハンドオーバ時に追加されたブランチに係る移動元のセクタ識別情報および移動先のセクタ識別情報を含むブランチ追加報告を、前記無線ネットワーク制御装置宛に送信する送信ステップと、前記無線ネットワーク制御装置が、前記移動機からの前記ブランチ追加報告を受信する受信ステップと、前記無線ネットワーク制御装置が、受信された前記ブランチ追加報告に基づいて、移動元のセクタ識別情報と移動先のセクタ識別情報の組合せ毎に、前記ブランチの追加数を集計する集計ステップと、前記無線ネットワーク制御装置が、集計により得られた、移動元のセクタ識別情報と移動先のセクタ識別情報の組合せ毎の前記ブランチの追加数情報を前記情報分析装置に送信する追加数情報送信ステップと、前記情報分析装置が、前記無線ネットワーク制御装置から、前記移動元のセクタ識別情報と移動先のセクタ識別情報の組合せ毎の前記ブランチの追加数情報を受信する追加数情報受信ステップと、前記情報分析装置が、受信された前記移動元のセクタ識別情報と移動先のセクタ識別情報の組合せ毎の前記ブランチの追加数情報を、当該移動元のセクタから当該移動先のセクタへの人口流動数情報と推定する推定ステップと、を備えることを特徴とする。また、上記情報分析方法は、前記情報分析装置が、推定された人口流動数情報における移動元のセクタおよび移動先のセクタを、出力される地図上のセクタに対応付ける対応付けステップ、をさらに備えてもよい。さらに、上記情報分析方法は、前記情報分析装置が、対応付けの結果に基づき、所定の表記法によって、前記地図における前記移動元のセクタから前記移動先のセクタへの前記人口流動数情報を出力する出力ステップ、をさらに備えてもよい。【００１８】
また、本発明の一側面に係る情報分析方法は、無線ネットワーク制御装置との情報の送受信が可能とされた情報分析装置、にて実行される情報分析方法であって、ハンドオーバ時に追加されたブランチに係る移動元のセクタ識別情報および移動先のセクタ識別情報を含んだ複数の移動機からのブランチ追加報告が、前記無線ネットワーク制御装置によって集計されて得られた、前記移動元のセクタ識別情報と前記移動先のセクタ識別情報の組合せ毎の前記ブランチの追加数情報を、前記無線ネットワーク制御装置から受信する追加数情報受信ステップと、受信された前記移動元のセクタ識別情報と移動先のセクタ識別情報の組合せ毎の前記ブランチの追加数情報を、当該移動元のセクタから当該移動先のセクタへの人口流動数情報と推定する推定ステップと、を備えることを特徴とする。また、上記情報分析方法は、推定された人口流動数情報における移動元のセクタおよび移動先のセクタを、出力される地図上のセクタに対応付ける対応付けステップ、をさらに備えてもよい。さらに、上記情報分析方法は、対応付けの結果に基づき、所定の表記法によって、前記地図における前記移動元のセクタから前記移動先のセクタへの前記人口流動数情報を出力する出力ステップ、をさらに備えてもよい。
【発明の効果】
【００１９】
本発明によれば、巨視的な人口流動に関するデータを簡易に且つ速やかに（準リアルタイムに）収集することができる。
【図面の簡単な説明】
【００２０】
【図１】第１実施形態の通信システムのシステム構成図である。
【図２】通信システムの機能ブロック構成図である。
【図３】通信システムにて実行される処理内容を示すフロー図である。
【図４】移動元セクタＩＤと移動先セクタＩＤの組合せ毎のブランチ追加数情報の一例を示す図である。
【図５】地図上のセクタへの対応付けおよび人口流動数情報の出力を説明するための図である。
【図６】第２実施形態の通信システムのシステム構成図である。
【発明を実施するための形態】
【００２１】
添付図面を参照しながら本発明の実施形態を説明する。可能な場合には、同一の部分には同一の符号を付して、重複する説明を省略する。
【００２２】
［第１実施形態］
［通信システムの構成］
図１は、本実施形態の通信システム１０のシステム構成図である。図１に示すように、この通信システム１０は、移動機１００、ＢＴＳ（基地局）２００、ＲＮＣ（無線ネットワーク制御装置）３００、交換機４００、および管理センタ５００を含んで構成されている。また、この管理センタ５００は、社会センサユニット５０１、ペタマイニングユニット５０２、モバイルデモグラフィユニット５０３、および可視化ソリューションユニット５０４から構成されている。
【００２３】
交換機４００は、ＢＴＳ２００、ＲＮＣ３００を介して、移動機１００の位置情報を収集する。ＲＮＣ３００は、移動機１００との間で通信接続が行われる際に、ＲＲＣコネクション要求信号における遅延値を用いて移動機１００の位置を測定することができる。交換機４００は、このように測定された移動機１００の位置情報を、移動機１００が通信接続を実行する際に受け取ることができる。交換機４００は受け取った位置情報を記憶しておき、所定のタイミング、または管理センタ５００からの要求に応じて収集した位置情報を管理センタ５００に出力する。ここで、一般的に、ＲＮＣ３００は、約千個からなるものであり、日本全国に配置されている。一方で、交換機４００は、３００個程度日本国内に配置されている。
【００２４】
管理センタ５００は、上述したとおり、社会センサユニット５０１、ペタマイニングユニット５０２、モバイルデモグラフィユニット５０３、および可視化ソリューションユニット５０４を含んで構成されており、各ユニットでは、移動機１００の位置情報に用いた統計処理を行う。
【００２５】
社会センサユニット５０１は、各交換機４００から移動機１００の位置情報等を含んだデータを収集するサーバ装置である。この社会センサユニット５０１は、交換機４００から定期的に出力されたデータを受信したり、または社会センサユニット５０１において予め定められたタイミングに従って交換機４００からデータを取得したりできるように構成されている。
【００２６】
ペタマイニングユニット５０２は、社会センサユニット５０１から受信したデータを所定のデータ形式に変換するサーバ装置である。例えば、ペタマイニングユニット５０２は、ユーザＩＤをキーにソーティング処理を行ったり、エリアごとにソーティング処理を行ったりする。
【００２７】
モバイルデモグラフィユニット５０３は、ペタマイニングユニット５０２において処理されたデータに対する集計処理、すなわち各項目のカウンティング処理を行うサーバ装置である。例えば、モバイルデモグラフィユニット５０３は、あるエリアに在圏するユーザ数をカウントしたり、また在圏分布を集計したりすることができる。
【００２８】
可視化ソリューションユニット５０４は、モバイルデモグラフィユニット５０３において集計処理されたデータを可視可能に処理するサーバ装置である。例えば、可視化ソリューションユニット５０４は、集計されたデータを地図上にマッピング処理することができる。この可視化ソリューションユニット５０４にて処理されたデータは、企業、官公庁または個人等に提供され、店舗開発、道路交通調査、災害対策、環境対策などに利用される。なお、このように統計処理された情報は、当然にプライバシーを侵害しないように個人等は特定されないように加工されている。
【００２９】
なお、社会センサユニット５０１、ペタマイニングユニット５０２、モバイルデモグラフィユニット５０３および可視化ソリューションユニット５０４はいずれも、前述したようにサーバ装置により構成され、図示は省略するが、通常の情報処理装置の基本構成（即ち、ＣＰＵ、ＲＡＭ、ＲＯＭ、キーボードやマウス等の入力デバイス、外部との通信を行う通信デバイス、情報を記憶する記憶デバイス、および、ディスプレイやプリンタ等の出力デバイス）を備えることは言うまでもない。
【００３０】
［通信システムの機能ブロック構成］
次に、本実施形態に係る通信システムの機能ブロック構成について説明する。図２には通信システム１０の機能ブロック構成を示す。この図２に示すように、通信システム１０は、本発明に係る要素として、複数のＢＴＳ（基地局）２００それぞれが制御するセクタに在圏する複数の移動機１００と、ＲＮＣ３００と、情報分析装置６００と、を含んで構成される。情報分析装置６００は、前述した図１のモバイルデモグラフィユニット５０３および可視化ソリューションユニット５０４に相当する。図１の交換機４００、社会センサユニット５０１およびペタマイニングユニット５０２は、本発明とは直接関係しない装置であるため、図２ではこれらの表記を省略している。
【００３１】
移動機１００は、ハンドオーバ時に追加されたブランチに関するブランチ追加報告をＲＮＣ３００あてに送信する送信部１０１を備える。ここでの「ブランチ追加報告」には、移動元のセクタ識別情報（以下「移動元セクタＩＤ」という）および移動先のセクタ識別情報（以下「移動先セクタＩＤ」という）を含んでいる。なお、標準仕様書「Radio  Resource  Control  (RRC)  Protocol  Specification：  3GPP  TS  25.331」によれば、ブランチ追加時には「ACTIVE  SET  UPDATE  COMPLETE」メッセージが移動機１００からＲＮＣ３００へ送信される旨が規定されており、同メッセージが上記のブランチ追加報告に対応する。
【００３２】
ＲＮＣ３００は、移動機１００からのブランチ追加報告を受信する受信部３０１と、受信されたブランチ追加報告に基づいて、移動元セクタＩＤと移動先セクタＩＤの組合せ毎にブランチの追加数を集計する集計部３０２と、集計により得られた、移動元セクタＩＤと移動先セクタＩＤの組合せ毎のブランチの追加数に関する情報（以下「ブランチ追加数情報」という）を情報分析装置６００に送信する追加数情報送信部３０３と、を備える。
【００３３】
上記ブランチ追加数情報は、例えば図４に示すように、移動元セクタＩＤ（図４では「FromセクタＩＤ」と表記）、移動先セクタＩＤ（図４では「ToセクタＩＤ」と表記）、およびブランチ追加数を対応付けた表形式で表される。また、集計部３０２による集計処理は、任意のタイミングで任意の時間間隔で実施することができる。ここでは、一例として、集計処理実行時刻は10:00、11:00、12:00、13:00、…というように１時間間隔に設定されている。
【００３４】
情報分析装置６００は、移動元セクタＩＤと移動先セクタＩＤの組合せ毎のブランチ追加数情報をＲＮＣ３００から受信する追加数情報受信部６０１と、受信された移動元セクタＩＤと移動先セクタＩＤの組合せ毎のブランチ追加数情報を、当該移動元のセクタから当該移動先のセクタへの人口流動数情報と推定する推定部６０２と、推定された人口流動数情報における移動元のセクタおよび移動先のセクタを、出力される地図上のセクタに対応付ける対応付け部６０３と、対応付けの結果に基づき、所定の表記法（一例として矢印表記）によって地図における移動元のセクタから移動先のセクタへの人口流動数情報を出力する出力部６０４と、を備える。ここでの「出力」は、表示出力および印刷出力を広く含むことは言うまでもない。即ち、人口流動数情報は、ディスプレイ等に表示出力されてもよいし、プリンタ等から印刷出力されてもよいし、表示と印刷の両方で出力されてもよい。
【００３５】
［通信システムにて実行される処理］
次に、図３を用いて、通信システム１０にて実行される一連の処理を説明する。
【００３６】
移動機１００のハンドオーバ時に、当該移動機１００がブランチの追加を検知すると、移動機１００の送信部１０１が、追加されたブランチに係るブランチ追加報告（移動元セクタＩＤと移動先セクタＩＤを含んだ情報）をＲＮＣ３００あてに送信する（図３のステップＳ１）。この動作は、多数の移動機１００それぞれで行われ、その結果、多数のブランチ追加報告が、ＢＴＳ２００経由でＲＮＣ３００に到達することとなる。
【００３７】
ＲＮＣ３００では、受信部３０１が多数のブランチ追加報告を受信し（ステップＳ２）、集計部３０２が、受信されたブランチ追加報告それぞれについて移動元セクタＩＤと移動先セクタＩＤを読み取り、移動元セクタＩＤと移動先セクタＩＤの組合せ毎にブランチ追加数を集計する（ステップＳ３）。これにより、図４に示す、移動元セクタＩＤ（FromセクタＩＤ）、移動先セクタＩＤ（ToセクタＩＤ）およびブランチ追加数を対応付けた表形式の情報が得られる。そして、追加数情報送信部３０３が、集計により得られた移動元セクタＩＤと移動先セクタＩＤの組合せ毎のブランチ追加数情報を情報分析装置６００に送信する（ステップＳ４）。このステップＳ４での送信は、定期的に所定時間間隔で実行してもよいし、予め設定された時刻に実行してもよいし、情報分析装置６００からの送信要求をトリガーとして実行してもよい。
【００３８】
情報分析装置６００では、追加数情報受信部６０１が上記ブランチ追加数情報をＲＮＣ３００から受信すると（ステップＳ５）、推定部６０２が、上記ブランチ追加数情報（移動元セクタＩＤと移動先セクタＩＤの組合せ毎のブランチ追加数情報）を、当該移動元のセクタから当該移動先のセクタへの人口流動数情報と推定する（ステップＳ６）。例えば、図４に示すブランチ追加数情報を上記人口流動数情報と推定することで、移動元セクタＩＤ「１」と移動先セクタＩＤ「２」の組合せに対応するブランチ追加数は「１０」なので、移動元セクタＩＤ「１」から移動先セクタＩＤ「２」への人口流動数が１０人であると推定される。
【００３９】
そして、対応付け部６０３が、推定された人口流動数情報における移動元のセクタおよび移動先のセクタを、出力される地図上のセクタに対応付け（ステップＳ７）、出力部６０４が、対応付けの結果に基づき、所定の表記法（一例として矢印表記）によって地図における移動元のセクタから移動先のセクタへの人口流動数情報を出力する（ステップＳ８）。例えば、出力される地図上のセクタ１〜５が図５（ａ）に示すようなセクタ１〜５である場合、移動元セクタＩＤ「１」から移動先セクタＩＤ「２」への人口流動数が１０人という人口流動数情報については、移動元セクタＩＤ「１」と移動先セクタＩＤ「２」がそれぞれ地図上のセクタ１、２に対応付けられ、その結果、セクタ１からセクタ２への矢印が図５（ｂ）のように表記され、当該矢印の近傍に人口流動数を示す「１０」が表記される。同様に、移動元セクタＩＤ「１」から移動先セクタＩＤ「３」への人口流動数が５人という人口流動数情報については、移動元セクタＩＤ「１」と移動先セクタＩＤ「３」がそれぞれ地図上のセクタ１、３に対応付けられ、その結果、セクタ１からセクタ３への矢印が図５（ｂ）のように表記され、当該矢印の近傍に人口流動数を示す「５」が表記される。
【００４０】
なお、人口流動数情報については、図５（ｂ）のように矢印と人口流動数の併記により出力することに限定されるものではなく、図５（ｃ）のように矢印の方向によって移動元セクタＩＤと移動先セクタＩＤを表しつつ、当該矢印の太さによって人口流動数を表してもよい。その他、人口流動数に応じて矢印の色の種類を変えてもよいし、人口流動数に応じて矢印の色の濃度を変えてもよい。また、矢印表記は必須ではなく、人口流動の高低差をセクタの色分けで出力することも可能である。
【００４１】
以上のような本実施形態によれば、比較的簡易に得られる移動機からのブランチ追加報告を基礎として得られた、移動元セクタＩＤと移動先セクタＩＤの組合せ毎のブランチ追加数情報より、当該移動元のセクタから当該移動先のセクタへの人口流動数情報を推定し、巨視的な人口流動に関するデータを速やかに（準リアルタイムに）得ることができる。また、図５（ｂ）、（ｃ）のように移動元セクタから移動先セクタへの人口流動数情報を出力することで、巨視的な人口流動に関するデータを視覚的に容易に把握することができる。
【００４２】
また、ＲＮＣによる集計処理の実行時刻が10:00、11:00、12:00、13:00、…というように１時間間隔に設定されているため、１時間を１つの単位時間帯として当該単位時間帯ごとの人口流動数情報を得ることができる。もちろん集計処理の実行時刻や時間間隔は任意に設定可能なので、所望の単位時間帯ごとの人口流動数情報を得ることができる。
【００４３】
また、従来の国勢調査やパーソントリップ調査では、基礎となるアンケートの回収率の低下に伴い調査結果の精度低下が懸念されるところ、本実施形態では、各移動機ユーザによる特別なアクションを必要とせずに、基礎となる各移動機からのブランチ追加報告が得られるため、基礎データが十分に得られないことに起因した分析結果の精度低下を回避することができる。
【００４４】
［第２実施形態］
図６は、第２実施形態の通信システム１０ａのシステム構成図である。図６に示すように、この通信システム１０ａは、新しい通信方式であるＬＴＥ（Long  Term  Evolution）に適用した場合のシステム構成であり、移動機１００、ｅＮＢ（Evolution  Node  B）２５０、交換機４００、および管理センタ５００を含んで構成されている。また、この管理センタ５００は、社会センサユニット５０１、ペタマイニングユニット５０２、モバイルデモグラフィユニット５０３、および可視化ソリューションユニット５０４から構成されている。なお、ｅＮＢ２５０は、ＢＴＳ２００およびＲＮＣ３００の両方の機能を包含したものである。
【００４５】
この第２実施形態は、ＬＴＥに適用した場合のシステム構成であって、その具体的な処理内容は、上述の第１実施形態と同様であるため、その詳細説明は割愛する。なお、第１実施形態において、そのプロトコルは、ＲＡＮＡＰ（Radio  Access  Network  Application  Part）であるが、第２実施形態においては、ＬＴＥで使用するＳ１ＡＰ（S1  Application  protocol）が用いられており、Initial  UE  Messageについては、Ｓ１ＡＰにおいても同信号が用いられている。
【００４６】
また、第１実施形態、第２実施形態においては、第三世代携帯電話（３Ｇ）システムを前提として説明していたが、ＧＳＭ（Global  System  for  Mobile  Communications）においても適用可能である。
【符号の説明】
【００４７】
１０、１０ａ…通信システム、１００…移動機、１０１…送信部、２００…ＢＴＳ、２５０…ｅＮＢ、３００…ＲＮＣ、３０１…受信部、３０２…集計部、３０３…追加数情報送信部、４００…交換機、５００…管理センタ、５０１…社会センサユニット、５０２…ペタマイニングユニット、５０３…モバイルデモグラフィユニット、５０４…可視化ソリューションユニット、６００…情報分析装置、６０１…追加数情報受信部、６０２…推定部、６０３…対応付け部、６０４…出力部。
【図１】
2010113706.tif 000003
【図２】
2010113706.tif 000004
【図３】
2010113706.tif 000005
【図４】
2010113706.tif 000006
【図５】
2010113706.tif 000007
【図６】
2010113706.tif 000008
【手続補正書】
【提出日】平成23年9月13日(2011.9.13)
【手続補正１】
【補正対象書類名】特許請求の範囲
【補正対象項目名】全文
【補正方法】変更
【補正の内容】
【特許請求の範囲】
【請求項１】
複数の基地局それぞれが制御するセクタに在圏する複数の移動機と、前記複数の基地局を制御する無線ネットワーク制御装置と、前記無線ネットワーク制御装置との情報の送受信が可能とされた情報分析装置と、を含んで構成される通信システムであって、
各移動機は、
ハンドオーバ時に該移動機と移動先のセクタを制御する基地局との間に発生する新たなコネクションであるブランチが追加されたことを示すブランチ追加報告であって、前記ブランチに係る移動元のセクタ識別情報および移動先のセクタ識別情報を含む当該ブランチ追加報告を、前記無線ネットワーク制御装置宛に送信する送信部、を備え、
前記無線ネットワーク制御装置は、
各移動機からの前記ブランチ追加報告を受信する受信部と、
受信された前記ブランチ追加報告に基づいて、移動元のセクタ識別情報と移動先のセクタ識別情報の組合せ毎に、前記ブランチの追加数を集計する集計部と、
集計により得られた、移動元のセクタ識別情報と移動先のセクタ識別情報の組合せ毎の前記ブランチの追加数情報を前記情報分析装置に送信する追加数情報送信部と、を備え、
前記情報分析装置は、
前記無線ネットワーク制御装置から、前記移動元のセクタ識別情報と移動先のセクタ識別情報の組合せ毎の前記ブランチの追加数情報を受信する追加数情報受信部と、
受信された前記移動元のセクタ識別情報と移動先のセクタ識別情報の組合せ毎の前記ブランチの追加数情報を、当該移動元のセクタから当該移動先のセクタへの人口流動数情報と推定する推定部と、
を備える通信システム。
【請求項２】
推定された人口流動数情報における移動元のセクタおよび移動先のセクタを、出力される地図上のセクタに対応付ける対応付け部、
をさらに備える請求項１に記載の通信システム。
【請求項３】
対応付けの結果に基づき、所定の表記法によって、前記地図における前記移動元のセクタから前記移動先のセクタへの前記人口流動数情報を出力する出力部、
をさらに備える請求項２に記載の通信システム。
【請求項４】
無線ネットワーク制御装置との情報の送受信が可能とされた情報分析装置であって、
ハンドオーバ時に移動機と移動先のセクタを制御する基地局との間に発生する新たなコネクションであるブランチが追加されたことを示すブランチ追加報告であって、前記ブランチに係る移動元のセクタ識別情報および移動先のセクタ識別情報を含む当該ブランチ追加報告が、前記無線ネットワーク制御装置によって集計されて得られた、前記移動元のセクタ識別情報と前記移動先のセクタ識別情報の組合せ毎の前記ブランチの追加数情報を、前記無線ネットワーク制御装置から受信する追加数情報受信部と、
受信された前記移動元のセクタ識別情報と移動先のセクタ識別情報の組合せ毎の前記ブランチの追加数情報を、当該移動元のセクタから当該移動先のセクタへの人口流動数情報と推定する推定部と、
を備える情報分析装置。
【請求項５】
推定された人口流動数情報における移動元のセクタおよび移動先のセクタを、出力される地図上のセクタに対応付ける対応付け部、
をさらに備える請求項４に記載の情報分析装置。
【請求項６】
対応付けの結果に基づき、所定の表記法によって、前記地図における前記移動元のセクタから前記移動先のセクタへの前記人口流動数情報を出力する出力部、
をさらに備える請求項５に記載の情報分析装置。
【請求項７】
複数の基地局それぞれが制御するセクタに在圏する複数の移動機と、前記複数の基地局を制御する無線ネットワーク制御装置と、前記無線ネットワーク制御装置との情報の送受信が可能とされた情報分析装置と、を含んで構成される通信システム、にて実行される情報分析方法であって、
前記移動機が、ハンドオーバ時に該移動機と移動先のセクタを制御する基地局との間に発生する新たなコネクションであるブランチが追加されたことを示すブランチ追加報告であって、前記ブランチに係る移動元のセクタ識別情報および移動先のセクタ識別情報を含む当該ブランチ追加報告を、前記無線ネットワーク制御装置宛に送信する送信ステップと、
前記無線ネットワーク制御装置が、前記移動機からの前記ブランチ追加報告を受信する受信ステップと、
前記無線ネットワーク制御装置が、受信された前記ブランチ追加報告に基づいて、移動元のセクタ識別情報と移動先のセクタ識別情報の組合せ毎に、前記ブランチの追加数を集計する集計ステップと、
前記無線ネットワーク制御装置が、集計により得られた、移動元のセクタ識別情報と移動先のセクタ識別情報の組合せ毎の前記ブランチの追加数情報を前記情報分析装置に送信する追加数情報送信ステップと、
前記情報分析装置が、前記無線ネットワーク制御装置から、前記移動元のセクタ識別情報と移動先のセクタ識別情報の組合せ毎の前記ブランチの追加数情報を受信する追加数情報受信ステップと、
前記情報分析装置が、受信された前記移動元のセクタ識別情報と移動先のセクタ識別情報の組合せ毎の前記ブランチの追加数情報を、当該移動元のセクタから当該移動先のセクタへの人口流動数情報と推定する推定ステップと、
を備える情報分析方法。
【請求項８】
前記情報分析装置が、推定された人口流動数情報における移動元のセクタおよび移動先のセクタを、出力される地図上のセクタに対応付ける対応付けステップ、
をさらに備える請求項７に記載の情報分析方法。
【請求項９】
前記情報分析装置が、対応付けの結果に基づき、所定の表記法によって、前記地図における前記移動元のセクタから前記移動先のセクタへの前記人口流動数情報を出力する出力ステップ、
をさらに備える請求項８に記載の情報分析方法。
【請求項１０】
無線ネットワーク制御装置との情報の送受信が可能とされた情報分析装置、にて実行される情報分析方法であって、
ハンドオーバ時に移動機と移動先のセクタを制御する基地局との間に発生する新たなコネクションであるブランチが追加されたことを示すブランチ追加報告であって、前記ブランチに係る移動元のセクタ識別情報および移動先のセクタ識別情報を含む当該ブランチ追加報告が、前記無線ネットワーク制御装置によって集計されて得られた、前記移動元のセクタ識別情報と前記移動先のセクタ識別情報の組合せ毎の前記ブランチの追加数情報を、前記無線ネットワーク制御装置から受信する追加数情報受信ステップと、
受信された前記移動元のセクタ識別情報と移動先のセクタ識別情報の組合せ毎の前記ブランチの追加数情報を、当該移動元のセクタから当該移動先のセクタへの人口流動数情報と推定する推定ステップと、
を備える情報分析方法。
【請求項１１】
推定された人口流動数情報における移動元のセクタおよび移動先のセクタを、出力される地図上のセクタに対応付ける対応付けステップ、
をさらに備える請求項１０に記載の情報分析方法。
【請求項１２】
対応付けの結果に基づき、所定の表記法によって、前記地図における前記移動元のセクタから前記移動先のセクタへの前記人口流動数情報を出力する出力ステップ、
をさらに備える請求項１１に記載の情報分析方法。
【手続補正２】
【補正対象書類名】明細書
【補正対象項目名】０００９
【補正方法】変更
【補正の内容】
【０００９】
本発明の一側面に係る通信システムは、複数の基地局それぞれが制御するセクタに在圏する複数の移動機と、前記複数の基地局を制御する無線ネットワーク制御装置と、前記無線ネットワーク制御装置との情報の送受信が可能とされた情報分析装置と、を含んで構成される通信システムであって、各移動機は、ハンドオーバ時に該移動機と移動先のセクタを制御する基地局との間に発生する新たなコネクションであるブランチが追加されたことを示すブランチ追加報告であって、前記ブランチに係る移動元のセクタ識別情報および移動先のセクタ識別情報を含む当該ブランチ追加報告を、前記無線ネットワーク制御装置宛に送信する送信部、を備え、前記無線ネットワーク制御装置は、各移動機からの前記ブランチ追加報告を受信する受信部と、受信された前記ブランチ追加報告に基づいて、移動元のセクタ識別情報と移動先のセクタ識別情報の組合せ毎に、前記ブランチの追加数を集計する集計部と、集計により得られた、移動元のセクタ識別情報と移動先のセクタ識別情報の組合せ毎の前記ブランチの追加数情報を前記情報分析装置に送信する追加数情報送信部と、を備え、前記情報分析装置は、前記無線ネットワーク制御装置から、前記移動元のセクタ識別情報と移動先のセクタ識別情報の組合せ毎の前記ブランチの追加数情報を受信する追加数情報受信部と、受信された前記移動元のセクタ識別情報と移動先のセクタ識別情報の組合せ毎の前記ブランチの追加数情報を、当該移動元のセクタから当該移動先のセクタへの人口流動数情報と推定する推定部と、を備えることを特徴とする。
【手続補正３】
【補正対象書類名】明細書
【補正対象項目名】００１５
【補正方法】変更
【補正の内容】
【００１５】
ところで、本発明は、情報分析装置に係る発明として捉えることができ、以下のように記述することができる。即ち、本発明の一側面に係る情報分析装置は、無線ネットワーク制御装置との情報の送受信が可能とされた情報分析装置であって、ハンドオーバ時に移動機と移動先のセクタを制御する基地局との間に発生する新たなコネクションであるブランチが追加されたことを示すブランチ追加報告であって、前記ブランチに係る移動元のセクタ識別情報および移動先のセクタ識別情報を含む当該ブランチ追加報告が、前記無線ネットワーク制御装置によって集計されて得られた、前記移動元のセクタ識別情報と前記移動先のセクタ識別情報の組合せ毎の前記ブランチの追加数情報を、前記無線ネットワーク制御装置から受信する追加数情報受信部と、受信された前記移動元のセクタ識別情報と移動先のセクタ識別情報の組合せ毎の前記ブランチの追加数情報を、当該移動元のセクタから当該移動先のセクタへの人口流動数情報と推定する推定部と、を備えることを特徴とする。また、上記情報分析装置は、推定された人口流動数情報における移動元のセクタおよび移動先のセクタを、出力される地図上のセクタに対応付ける対応付け部、をさらに備えてもよい。さらに、上記情報分析装置は、対応付けの結果に基づき、所定の表記法によって、前記地図における前記移動元のセクタから前記移動先のセクタへの前記人口流動数情報を出力する出力部と、をさらに備えてもよい。
【手続補正４】
【補正対象書類名】明細書
【補正対象項目名】００１７
【補正方法】変更
【補正の内容】
【００１７】
即ち、本発明の一側面に係る情報分析方法は、複数の基地局それぞれが制御するセクタに在圏する複数の移動機と、前記複数の基地局を制御する無線ネットワーク制御装置と、前記無線ネットワーク制御装置との情報の送受信が可能とされた情報分析装置と、を含んで構成される通信システム、にて実行される情報分析方法であって、前記移動機が、ハンドオーバ時に該移動機と移動先のセクタを制御する基地局との間に発生する新たなコネクションであるブランチが追加されたことを示すブランチ追加報告であって、前記ブランチに係る移動元のセクタ識別情報および移動先のセクタ識別情報を含む当該ブランチ追加報告を、前記無線ネットワーク制御装置宛に送信する送信ステップと、前記無線ネットワーク制御装置が、前記移動機からの前記ブランチ追加報告を受信する受信ステップと、前記無線ネットワーク制御装置が、受信された前記ブランチ追加報告に基づいて、移動元のセクタ識別情報と移動先のセクタ識別情報の組合せ毎に、前記ブランチの追加数を集計する集計ステップと、前記無線ネットワーク制御装置が、集計により得られた、移動元のセクタ識別情報と移動先のセクタ識別情報の組合せ毎の前記ブランチの追加数情報を前記情報分析装置に送信する追加数情報送信ステップと、前記情報分析装置が、前記無線ネットワーク制御装置から、前記移動元のセクタ識別情報と移動先のセクタ識別情報の組合せ毎の前記ブランチの追加数情報を受信する追加数情報受信ステップと、前記情報分析装置が、受信された前記移動元のセクタ識別情報と移動先のセクタ識別情報の組合せ毎の前記ブランチの追加数情報を、当該移動元のセクタから当該移動先のセクタへの人口流動数情報と推定する推定ステップと、を備えることを特徴とする。また、上記情報分析方法は、前記情報分析装置が、推定された人口流動数情報における移動元のセクタおよび移動先のセクタを、出力される地図上のセクタに対応付ける対応付けステップ、をさらに備えてもよい。さらに、上記情報分析方法は、前記情報分析装置が、対応付けの結果に基づき、所定の表記法によって、前記地図における前記移動元のセクタから前記移動先のセクタへの前記人口流動数情報を出力する出力ステップ、をさらに備えてもよい。
【手続補正５】
【補正対象書類名】明細書
【補正対象項目名】００１８
【補正方法】変更
【補正の内容】
【００１８】
また、本発明の一側面に係る情報分析方法は、無線ネットワーク制御装置との情報の送受信が可能とされた情報分析装置、にて実行される情報分析方法であって、ハンドオーバ時に移動機と移動先のセクタを制御する基地局との間に発生する新たなコネクションであるブランチが追加されたことを示すブランチ追加報告であって、前記ブランチに係る移動元のセクタ識別情報および移動先のセクタ識別情報を含む当該ブランチ追加報告が、前記無線ネットワーク制御装置によって集計されて得られた、前記移動元のセクタ識別情報と前記移動先のセクタ識別情報の組合せ毎の前記ブランチの追加数情報を、前記無線ネットワーク制御装置から受信する追加数情報受信ステップと、受信された前記移動元のセクタ識別情報と移動先のセクタ識別情報の組合せ毎の前記ブランチの追加数情報を、当該移動元のセクタから当該移動先のセクタへの人口流動数情報と推定する推定ステップと、を備えることを特徴とする。また、上記情報分析方法は、推定された人口流動数情報における移動元のセクタおよび移動先のセクタを、出力される地図上のセクタに対応付ける対応付けステップ、をさらに備えてもよい。さらに、上記情報分析方法は、対応付けの結果に基づき、所定の表記法によって、前記地図における前記移動元のセクタから前記移動先のセクタへの前記人口流動数情報を出力する出力ステップ、をさらに備えてもよい。
【国際調査報告】
2010113706.tif 000009
2010113706.tif 000010